(57)【特許請求の範囲】
【請求項１】
少なくとも１つのマスクサイズ物差しと一体化されたフェイスマスクパッケージであって、
１以上のマスクサイズの１以上のマスクを備え、
前記マスクサイズ物差しは、第１の測定基準要素及び第２の測定基準要素を備え、
前記第１の測定基準要素は、人の顔のオトガイ点に置かれ、
前記第２の測定基準要素は、２以上のサイズ表示部分を形成するように分割され、前記マスクサイズ物差しの上部に置かれ、
前記サイズ表示部分のうちの１つは、使用者の適切なサイズを表示するために、前記人の顔の目の高さに対応し、
前記２以上のサイズ表示部分は、複数の正確に事前に測定された距離を１以上のマスクサイズに分類することによって決定され、前記複数の正確に事前に測定された距離は、複数の人の顔上の前記オトガイ点と前記目の高さとの間の距離であるフェイスマスクパッケージ。
【請求項２】
前記２以上のサイズ表示部分は、２以上のサイズを示す請求項１に記載のフェイスマスクパッケージ。
【請求項３】
前記第１及び第２の測定基準要素は、使用者に適切なサイズを表示するために、前記マスクサイズ物差しを前記使用者の顔に置き、前記適切なサイズを読み取ることによって使用される請求項１に記載のフェイスマスクパッケージ。
【請求項４】
前記マスクサイズ物差しは、その上面で測定される、請求項１に記載のフェイスマスクパッケージ。
【請求項５】
前記オトガイ点は、下あごの下端である請求項１に記載のフェイスマスクパッケージ。
【請求項６】
目の高さに置かれる前記第２の基準要素は、前記サイズ物差し上に表示されたサイズを表示する請求項１に記載のフェイスマスクパッケージ。
【請求項７】
前記１以上のマスクサイズは、折り畳まれた状態のマスク上の最大縦方向距離に対応する請求項１に記載のフェイスマスクパッケージ。
【請求項８】
前記１以上のマスクサイズは、展開された状態のマスク上の最大縦方向距離に対応する請求項１に記載のフェイスマスクパッケージ。
【発明の詳細な説明】
【技術分野】
【０００１】
本開示は、概して、呼吸道具に関する。
【背景技術】
【０００２】
フェイスマスク又は保護マスクは、フィルタの特性及び認証に応じて、使用者を粉塵又は化学物質の吸入から保護するために幅広く使用されている。フェイスマスクは、顔の形状が異なる使用者に適合するように異なるサイズで提供される。例えば、マスクサイズは、小、中、及び大として一般化することができる。マスクが効果的に機能するために、装着したとき、人の顔上でのマスクのいかなる間隙又は密着の緩みも防がなければならない。使用者の顔上でのマスクの適切な密着度は、マスクの適切なサイズを選択することによって得られる。使用者にとって適切なサイズを決定するために、通常は、それぞれのサイズを使用者の顔で試して、使用者の顔の形状に適合する適切なサイズが決定される。これは、時間を浪費する。これを解消するために、多数のマスクサイズ基準が、使用者にとって最適なマスクのサイズを容易に決定するために開発されてきた。
【０００３】
ＷＩＰＯ特許出願番号、国際公開第２０１３１１８０３４号は、患者で使用されるように構築され、患者にとって最適なマスクのサイズである特定の患者の接触面の識別を可能にするように構築されたサイズ基準を開示している。サイズ基準は、サイズ部分及びサポート部分を含む。サイズ部分は、第１の基準要素及び複数の第２の基準要素を含む。第１の基準要素は、サポート部分に配置され、患者の顔上の第１の位置に置かれるように構築される。複数の第２の基準要素は、サポート部分に配置され、第１の基準要素から離間した位置に置かれる。第１の基準要素と各第２の基準要素との間の距離は、複数の患者の接触面のうち少なくともいくつかのそれぞれの一方向でのサイズを代表する。複数の第２の基準要素のうち少なくとも１つは、触覚に関する特徴を含む。
【０００４】
米国特許番号第５５８４１２５号は、保護マスクの使用者にとって適切なサイズの保護マスクの仮決定を支援するためのサイズガイドを開示している。サイズガイドは、既知の幅を有する少なくとも第１のサイズギャップを有し、その結果、第１のサイズギャップと、鼻根点及びオトガイ点などの一対の顔の標識点の間の長さとの比較は、使用者にとって適切なサイズの保護マスクの仮決定をもたらし、次いで、保護マスクは、密着度を試すことができる。好ましくは、サイズガイドは、第１のサイズギャップの幅と異なる既知の幅を有する第２のサイズギャップも有する。
【０００５】
上述の従来技術では、サイズギャップ又は基準要素の距離は、一対の顔の標識点の間の長さと比較される。ギャップ又は基準におけるそれぞれのサイズに対する測定距離は、様々なサイズのそれぞれのマスク上の２点の少なくとも１つの縦方向距離に対応する。基準上に表示されたサイズは、様々なサイズのマスクの寸法に基づいて得られる。
【概要】
【０００６】
以下の概要は、開示された実施形態に固有の革新的特徴のいくつかの理解を容易にするために提供され、完全な説明であることを意図していない。本明細書に開示された実施形態の様々な態様の完全な理解は、明細書全体、特許請求の範囲、図面、及び要約書をまとめて考慮に入れることによって得ることができる。
【０００７】
１つの技術的課題は、上記の欠点を克服するために、使用者に最も適合するマスクのサイズを正確に決定するためのマスク物差しと一体化させたマスクパッケージをどのように製造するかである。
【０００８】
従来技術のシステムは、マスクサイズ基準上に表示されることとなるサイズの最適距離を決定するために、様々な人の顔の測定された顔面形状を分析しない。そのため、従来技術の基準によって決定されたサイズは、使用者にとって適切ではない恐れがある。更に、従来技術の基準は、個々のユニットとなり、マスクパッケージを伴わず、そのため、別々に購入しなければならない。加えて、いくつかのマスクパッケージは、様々なサイズに対してある年齢層を推奨するが、その年齢グループ内であっても顔の統計データが広範囲である場合があり、サイズは、その年齢グループ内の全員には適合しない場合がある。
【０００９】
１つの技術的解決策は、様々なサイズのマスクの寸法に基づいて様々な使用者の顔面寸法を分類することである。
【００１０】
したがって、これは、少なくとも１以上のマスクサイズ物差しと一体化させたフェイスマスクを提供する開示された実施形態のうちの一実施形態である。パッケージは、１以上のマスクサイズの１以上のマスクとマスクサイズ物差しとを備える。マスクサイズ物差しは、第１の測定基準要素、第２の測定基準要素、及び前記物差し上に表示された１以上のサイズを有する。前記サイズ物差しでのサイズは、１以上の人の顔上の少なくとも２点から１以上の正確に事前に測定された距離を、１以上のマスクサイズの１以上のマスク上の少なくとも１つの距離に基づいて１以上のサイズに分類することによって決定される。
【００１１】
したがって、これは、少なくとも１つのマスクサイズ物差しと一体化させたフェイスマスクパッケージを提供する開示された実施形態のうちの一実施形態であり、この実施形態では、第２の測定基準要素は、１以上のサイズを示すための１以上のサイズ表示部分を有する。
【００１２】
したがって、これは、少なくとも１つのマスクサイズ物差しと一体化させたフェイスマスクパッケージを提供する開示された実施形態のうちの一実施形態であり、この実施形態では、第１及び第２の測定基準要素は、使用者の適切なサイズを示すために、マスクサイズ物差しを使用者の顔に置き、その上部で適切なサイズを読み取ることによって、使用される。サイズは、鏡を使う使用者、又は正しいサイズを決定するために使用者を補助する別の立会者によって決定できる。
【００１３】
したがって、これは、少なくとも１つのマスクサイズ物差しと一体化させたフェイスマスクパッケージを提供する開示された実施形態のうちの一実施形態であり、この実施形態では、サイズ物差し上に表示されるサイズを決定するために利用される前記２点は、少なくとも片目の高さ、下あごの下端（オトガイ点）、鼻梁、少なくとも片方の頬、口唇の端部、及び頬の中心から選択される。
【００１４】
したがって、これは、少なくとも１つのマスクサイズ物差しと一体化させたフェイスマスクパッケージを提供する開示された実施形態のうちの一実施形態であり、この実施形態では、マスクサイズ物差しは、第２の基準要素で、その上部でサイズを測定する。
【００１５】
したがって、これは、少なくとも１つのマスクサイズ物差しと一体化させたフェイスマスクパッケージを提供する開示された実施形態のうちの一実施形態であり、この実施形態では、第１の基準要素は、下あごの下端である、顔のオトガイ点に置かれる。
【００１６】
したがって、これは、少なくとも１つのマスクサイズ物差しと一体化させたフェイスマスクパッケージを提供する開示された実施形態のうちの一実施形態であり、この実施形態では、第２の基準要素は、例えば、片目の高さである、オトガイ点以外の前記２点のうち１点に置かれる。目の高さに置かれた第２の基準要素は、サイズ物差し上に表示されたサイズに対応する。
【００１７】
したがって、これは、少なくとも１つのマスクサイズ物差しと一体化させたフェイスマスクパッケージを提供する開示された実施形態のうちの一実施形態であり、この実施形態では、第２の測定基準要素は、１以上のサイズの１以上の距離は、折り畳まれた状態又は展開された状態のマスク上の最大縦方向距離に対応する。
【００１８】
したがって、これは、マスクサイズ物差し上に表示された１以上のサイズを決定するシステムを提供する開示された実施形態のうちの一実施形態であり、当該システムは、１以上の画像を得るために１以上の顔をスキャンし、１以上の画像上の少なくとも２点の１以上の距離を正確に測定するための撮像装置、正確に測定された１以上の距離を記憶するための記憶装置、１以上のサイズのマスクの１以上の距離に基づいて１以上の正確に測定された距離を分類するために距離を処理するための処理部、及び分類された１以上の正確に測定された距離に基づいてマスクサイズ物差し上に表示されることとなる１以上のサイズを決定するための決定部を備える。
【００１９】
したがって、これは、フェイスマスクパッケージないに一体化されたマスクサイズ物差し上に表示された１以上のサイズを決定する方法を提供する開示された実施形態のうちの一実施形態であり、当該方法は、１以上の画像を得るために１以上の人の顔をデジタルでスキャンすることと、１以上の画像上の少なくとも２点の１以上の距離を正確に測定することと、１以上の正確に測定された距離を１以上のサイズのマスクの１以上の距離に基づいて分類することと、分類された１以上の正確に測定された距離に基づいてマスクサイズ物差し上に表示されることとなる１以上のサイズを決定することと、を含む。当該方法は、正確に測定された１以上の距離を記憶装置に記憶することと、サイズ物差し上の１以上のサイズに分類するために距離を処理することと、を更に含む。
【００２０】
本発明の他の態様及び利点は、添付図面と併せた以下の詳細な説明から、実施例の方法で本発明の原理を例示することによって明らかとなる。
【図面の簡単な説明】
【００２１】
上述の発明の概要及び例示的な実施形態の以下の詳細な説明は、添付図面と併せて読むときによりよく理解される。本開示を例示する目的のために、本開示の例示的な構成は、図面に示されている。しかし、本開示は、本明細書に開示された特定の方法及び手段に限定されない。更に、当業者は、図面が正確な縮尺ではないことを理解するであろう。可能な限り、同種の要素は、同一の番号によって示されている。
【００２２】
【図１】開示された実施形態のうちいくつかの実施形態に従った、マスクサイズ物差しと一体化されたフェイスマスクパッケージの斜視図の例示である。
【００２３】
【図２】開示された実施形態のうちいくつかの実施形態に従った、図１に示したマスクサイズ物差しの側面図の例示である。
【００２４】
【図３】開示された実施形態のうちいくつかの実施形態に従った、人の顔に適切なマスクサイズを決定するために利用される図２のマスクサイズ物差しの概略図の例示である。
【００２５】
【図４】開示された実施形態のうちいくつかの実施形態に従った、図２のマスクサイズ物差し上に表示されることとなる様々なサイズを検出するために利用されるシステムのブロック図の例示である。
【００２６】
【図５】開示された実施形態のうちいくつかの実施形態に従った、最大縦方向距離を示す展開された状態のフェイスマスクの側面図の例示である。
【００２７】
【図６】開示された実施形態のうちいくつかの実施形態に従った、図２のマスクサイズ物差し上に表示されることとなるマスクサイズを決定する過程を示すフローチャートの例示である。
【発明を実施するための形態】
【００２８】
これらの非制限的な実施例において説明される特定の値及び形態は、変化させることができ、少なくとも１つの実施形態を例示するためにのみ言及され、実施形態の範囲を限定することを意図していない。
【００２９】
少なくとも１つのマスクサイズ物差しと一体化されたフェイスマスクパッケージを開示する。パッケージは、様々なサイズの１以上のマスクを収納する。マスクサイズ物差しは、第１の測定基準要素、第２の測定基準要素、及び当該物差し上に表示された１以上のサイズを含む。サイズ物差しでのサイズは、１以上の人の顔上の少なくとも２点から１以上の正確に事前に測定された距離を、１以上のマスクサイズの１以上のマスク上の少なくとも１つの距離に基づいて１以上のサイズに分類することによって決定される。１以上のマスクサイズの１以上のマスク上の少なくとも１つの距離は、折り畳まれた状態又は展開された状態のマスクの最大縦方向距離である。マスク物差し上に示したサイズを決定するためのシステム及び方法もまた開示する。サイズが実際の顔面寸法から分類されるので、サイズ物差しは、使用者に最適なマスクのサイズを正確に表示する。
【００３０】
図１は、開示された実施形態のうちいくつかの実施形態に従った、マスクサイズ物差し２００と一体化されたフェイスマスクパッケージ１００の斜視図の例示である。パッケージ１００は、１以上のサイズの１以上のマスクを収納できる。マスクサイズ物差し２００をマスクパッケージ１００内に一体化することによって、分離する個別のマスクサイズ物差しの必要性は、回避することができる。物差し２００は、パッケージ２００のふた又は上面に一体化され、そのため、最適なマスクサイズを決定するために、使用者がふた又は上面を容易につかんで、顔に置けるようにする。
【００３１】
一実施形態では、物差し２００は、パッケージ１００から取り外し可能であってもよく、使用後にパッケージ１００に再び取り付け可能であってもよい。マスクサイズ物差し２００上に表示されたサイズは、多数の人の顔の１以上の顔面寸法を正確に測定し、展開された状態の様々なサイズのマスクの最大縦方向距離に基づいてすべての顔面寸法を分類することによって得られる。パッケージ１００は、単一のサイズ又は様々な範囲のサイズのマスクを収納できる。様々なサイズのマスクの例は、マスク小（ＭＳ）、マスク中（ＭＭ）、及びマスク大（ＭＬ）であり、物差しは、それぞれＭＳ、ＭＭ、及びＭＬに対応する小（Ｓ）、中（Ｍ）、及び大（Ｌ）などのサイズの表示を有してもよい。
【００３２】
図２は、開示された実施形態のうちいくつかの実施形態に従った、図１に図示したマスクサイズ物差し２００の側面図の例示である。マスクサイズ物差し２００は、第１の基準要素２０７及び第２の基準要素２０８を有する。第２の基準要素２０８は、１以上のサイズ要素２０１、２０３、及び２０５に分割され、使用者に最も適合するマスクのサイズを表示する１以上のサイズ表示部分２０２、２０４、及び２０６を形成する。図２に示すように、サイズ表示部分２０２、２０４、及び２０６は、サイズ要素２０１、２０３、２０５と第１の基準要素２０７との間にそれぞれ形成される。
【００３３】
図３は、開示された実施形態のうちいくつかの実施形態に従った、人の顔に適切なマスクサイズを決定するために利用される図２のマスクサイズ物差し２００の概略図の例示である。図３に示すように、第１の基準要素２０７は、下あご２１１の下端である顔２０９のオトガイ点に置かれる。第１の基準要素２０７を使用者の顔２０９上に置いた後、使用者に最適なマスクのサイズは、その上面で直接読み取られる。例えば、物差しのサイズ表示部分に対応する使用者の目の高さは、使用者のマスクサイズを示す。図３に示すように、第１の基準要素２０７は、下あご２１１の下端に置かれ、使用者のサイズは、使用者の目の高さ２１０に対応するサイズ表示部分２０４を読み取ることによって決定される。サイズ表示部分２０４は、物差し２００上にサイズ中（Ｍ）を表示する。サイズ表示部分２０２、２０４、及び２０６は、サイズ要素２０１、２０３、２０５と第１の基準要素２０７との間にそれぞれ形成される。物差し２００を顔に置いている間、使用者の目の高さは、サイズ表示部分２０２、２０４、及び２０６のうち少なくとも１つに常に対応する。サイズ表示部分２０２、２０４、及び２０６は、マスクのサイズ、マスク小（ＭＳ）、マスク中（ＭＭ）、及びマスク大（ＭＬ）に対応するサイズに対応する物差し上の小（Ｓ）、中（Ｍ）、及び大（Ｌ）であることに留意すべきである。物差し上に表示されるサイズは、小（Ｓ）、中（Ｍ）、及び大（Ｌ）のみに限定されず、利用可能なマスクサイズに応じて任意の数のサイズを有してもよい。
【００３４】
サイズ物差しにおいて表示されるサイズは、１以上の人の顔上の少なくとも２点から１以上の正確に事前に測定された実際の顔面寸法を、１以上のマスクサイズの１以上のマスク上の少なくとも１つの距離に基づいて１以上のサイズに分類することによって得られることにもまた留意すべきである。１以上のマスクサイズの１以上のマスク上の少なくとも１つの距離は、折り畳まれた状態又は展開された状態のマスクの最大縦方向距離である。マスク物差し上に表示されたサイズは、実際の人の寸法を分析し、次いで顔面寸法をマスクサイズに基づいて分類することによって決定される。したがって、物差しは、実際の人の顔データに基づいているため、物差しは、マスクの最適なサイズを略正確に表示することができる。
【００３５】
図４は、開示された実施形態のうちいくつかの実施形態に従った、図２のマスクサイズ物差し２００上に表示されることとなる様々なサイズを検出するために利用されるシステム４００のブロック図の例示である。撮像装置４０４は、１以上の画像を得るために１以上の人の顔４０２をスキャンする。撮像装置４０４は、２次元又は３次元スキャナであり得るが、人の顔４０２の顔面寸法に測定に適した他の撮像装置もまた、制限することなく使用することができる。撮像装置４０４は、処理部（図示せず）を有することができ、画像上の少なくとも２点の１以上の顔面距離を正確に測定するように構成される。人の顔上の２点は、以下の、片目の高さ、下あごの下端、鼻梁、少なくとも片方の頬、口唇の端部、及び頬の中央のうち少なくとも１つから制限することなく選択することができる。例えば、顔面寸法は、目の高さから下あごの下端までの距離、鼻梁から頬までの距離、口唇間の距離、頬から頬までの距離などを制限することなく含む。最大の変位量は、目の高さから下あごの下端までの距離であったことが見出された。そのため、目の高さから下あごの下端までの測定距離は、物差し上に表示されることとなるサイズの決定のために使用されるが、他の顔面寸法もまた制限することなく使用することができる。
【００３６】
記憶装置４１０は、正確に測定された１以上の距離を記憶する。処理部４０８は、１以上の正確に測定された距離を分類するためにその距離を処理することができる。例えば、記憶装置４１０は、１以上の顔の顔面寸法の記憶用のデータベースであってもよく、処理部４０８は、当該データベースから１以上の正確に測定された距離を検索し、様々なサイズのマスクの最大縦方向距離に基づいて１以上の正確に測定された距離を分類することができるアルゴリズムを有してもよい。決定部４０６は、分類された１以上の正確に測定された距離に基づいてマスクサイズ物差し上に表示されることとなる１以上のサイズを決定する。処理部４０８及び決定部４０６は、単一のユニット又は連携する分離したユニットとして動作することができ、測定された顔面寸法を分類するためのアルゴリズムを有することができる。
【００３７】
図５は、開示された実施形態のうちいくつかの実施形態に従った、最大縦方向距離「Ｄ」５０２を示す展開された状態のフェイスマスク５００の側面図の例示である。フェイスマスクが折り畳まれている場合、最大縦方向距離「Ｄ」は、折り畳まれた状態と比較して増大することとなるであろう。最適に分類された３つの寸法は、測定物差しの上部３本の線を形成する。これらの３つの寸法は、展開された状態のマスクの最大縦方向距離（Ｄ）に比例する。例えば、図２に示すように、サイズ要素２０１、２０３、２０５と第１の基準要素２０７との間の距離は、マスク小（ＭＳ）、マスク中（ＭＭ）、及びマスク大（ＭＬ）のサイズのマスクの最大縦方向距離にそれぞれ比例してもよい。図４に図示されたシステム４００は、物差し上に表示されることとなるサイズを決定するために利用され、当該サイズは、様々なサイズのマスクの最大縦方向距離に対応する。折り畳まれた状態のマスクの最大縦方向距離は、展開された場合に減少することに留意すべきである。例えば、「Ｍ」サイズに対して最適な下あごから目の高さまでの距離は、１１．９ｃｍであり、マスク上の最大縦方向距離は、展開された場合に距離が減少することを考慮して、１３．９ｃｍである。
【００３８】
図６は、開示された実施形態のうちいくつかの実施形態に従った、図２のマスクサイズ物差し上に表示されることとなるマスクサイズを決定する処理を示すフローチャートの例示である。ブロック６０２及び６０４で、多数の人の顔は、撮像装置、例えば、３Ｄスキャナによってスキャンされ、それぞれの顔の正確な顔面寸法は、それぞれスキャンされた画像から得られる。それぞれの顔面寸法は、ブロック６０６で例示するように、様々なサイズのマスクの最大縦方向距離に基づいて分類される。ブロック６０８及び６１０で、分類された顔面寸法に基づいて２以上の最適寸法が得られ、マスク物差し上に表示される。最後に、ブロック６１２で、サイズを伴って表示されたマスク物差しは、マスクパッケージ上に一体化される。
【００３９】
使用可能なマスクサイズ基準は、人の顔をスキャンし、マスクサイズに基づいて人の顔を分類することによってマスク物差し上に表示されることとなるサイズを決定しない。したがって、上記実施形態での物差し、システム、及び方法は、サイズをマスク物差し上に正確に表示し、そのため、使用者の最適マスクサイズを得ることができる。
【００４０】
上記で開示された他の特徴及び機能の変形形態、又はそれらの代替形態は、多数の他の異なるシステム若しくは用途に望ましいように組み合わせてもよいことが理解されよう。また、現在予見していない又は予期していない様々な代替物、変更、変形、又はそれらにおける改善は、以下の特許請求の範囲によって包含されることをまた意図した当業者によって後に行われてもよい。
【００４１】
本開示の実施形態は、可能な態様を網羅するためにかなり詳細に、包括的に説明されてきたが、本開示の他の様式もまた可能であることを、当業者は、理解するであろう。
【図１】
0006346709.tif 000002
【図２】
0006346709.tif 000003
【図３】
0006346709.tif 000004
【図４】
0006346709.tif 000005
【図５】
0006346709.tif 000006
【図６】
0006346709.tif 000007